【手続補正書】
【提出日】令和2年3月9日(2020.3.9)
【手続補正１】
【補正対象書類名】明細書
【補正対象項目名】全文
【補正方法】変更
【補正の内容】
【発明の詳細な説明】
【発明の名称】システム情報を伝送する方法、基地局及び端末
【技術分野】
【０００１】
本発明は通信技術分野に関し、特にシステム情報を伝送する方法、基地局及び端末に関する。
【背景技術】
【０００２】
ロングタームエボリューション（Ｌｏｎｇ  Ｔｅｒｍ  Ｅｖｏｌｕｔｉｏｎ、ＬＴＥ）システムにおいて、システム情報（Ｓｙｓｔｅｍ  Ｉｎｆｏｒｍａｔｉｏｎ、ＳＩ）は周期的に送信され、端末が接続状態にあるかアイドル状態にあるかに関係なく、システム情報を受信することができる。全てのシステム情報のスケジューリング周期はシステム情報ブロック（  Ｓｙｓｔｅｍ  Ｉｎｆｏｒｍａｔｉｏｎ  Ｂｌｏｃｋ  、ＳＩＢ）１によって指示することができる。このような周期的な送信方式はシステム情報の冗長送信を引き起こす可能性があり、例えばシステム情報ＳＩＢｘが送信される際に、従来のシステムにおける端末が該システム情報を取得しており或いは該システム情報を必要としないと、ＳＩＢｘの送信によって資源の無駄使いを引き起こす。
【０００３】
このため、新しい無線通信システム例えば第５世代移動通信技術（５ｔｈ  Ｇｅｎｅｒａｔｉｏｎ  、５Ｇ）の新しい無線（Ｎｅｗ  Ｒａｄｉｏ、ＮＲ）システムを設計する際に、システム情報を必要なシステム情報と不要なシステム情報に分けることができる。必要なシステム情報、例えばアクセス等の情報を含むシステム情報に対して、基地局により従来のブロードキャスト方式によって送信することができ、不要なシステム情報に対して、基地局は端末が要求する際に送信することができる。しかしながら、どのような方式で送信するのが良いか、まだ未解決の問題である。
【発明の概要】
【発明が解決しようとする課題】
【０００４】
本発明の実施例はシステム情報を伝送する方法、基地局及び端末を提供し、端末の必要に応じてシステム情報の送信を行うことができ、システム効率の最適化に有利である。
【課題を解決するための手段】
【０００５】
本発明の実施例の第１態様はシステム情報を伝送する方法を提供し、
基地局が端末から送信されたＭＳＧ１を受信するステップと、
前記端末がＭＳＧ１を送信する際に使用された物理ランダムアクセスチャネルリソースと前記端末アクセス目的との予め設定されたマッピング関係に基づき前記端末のアクセス目的を確定し、前記アクセス目的はシステム情報を要求すること、初期アクセスを要求すること、或いはシステム情報及び初期アクセスを同時に要求することを含むステップと、  前記端末のアクセス目的がシステム情報を要求すること、或いはシステム情報及び初期アクセスを同時に要求することであると、前記基地局が前記端末にＭＳＧ２を送信し、前記ＭＳＧ２にシステム情報或いは前記システム情報に対応するスケジューリング情報が含まれるステップと、を含む。
【０００６】
１つの可能な実現形態において、前記端末のアクセス目的がシステム情報を要求することであると、前記方法は更に、
前記端末が要求するシステム情報をブロードキャストするステップを含む。
【０００７】
１つの可能な実現形態において、前記端末のアクセス目的がシステム情報及び初期アクセスを同時に要求することであると、前記ＭＳＧ２にＭＳＧ３に対応するアップリンクスケジューリング情報が更に含まれる。
【０００８】
１つの可能な実現形態において、前記端末のアクセス目的が初期アクセスを要求することであると、前記基地局が前記端末にＭＳＧ２を送信し、前記ＭＳＧ２にＭＳＧ３に対応するアップリンクスケジューリング情報が含まれる。
【０００９】
１つの可能な実現形態において、前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つブロードキャストメッセージによって前記端末に通知されるか、或いは前記予め設定されたマッピング関係はシステムにより事前設定されて且つ前記基地局と前記端末に記憶される。
【００１０】
本発明の実施例の第２態様はシステム情報を伝送する方法を提供し、
端末がアクセス目的に基づき前記アクセス目的と予め設定されたマッピング関係がある物理ランダムアクセスチャネルリソースを選択し、前記アクセス目的はシステム情報を要求すること、初期アクセスを要求すること、或いはシステム情報及び初期アクセスを同時に要求することを含むステップと、
選択された物理ランダムアクセスチャネルリソースを使用して基地局にＭＳＧ１を送信するステップと、
前記端末のアクセス目的がシステム情報を要求すること、或いはシステム情報及び初期アクセスを同時に要求することであると、前記基地局が送信したＭＳＧ２を受信し、前記ＭＳＧ２にシステム情報或いは前記システム情報に対応するスケジューリング情報が含まれるステップと、を含む。
【００１１】
１つの可能な実現形態において、前記端末のアクセス目的がシステム情報を要求することであると、前記方法は更に、
前記基地局がブロードキャストしたシステム情報を受信するステップを含む。
【００１２】
１つの可能な実現形態において、前記端末のアクセス目的がシステム情報及び初期アクセスを同時に要求することであると、前記ＭＳＧ２にＭＳＧ３に対応するアップリンクスケジューリング情報が更に含まれる。
【００１３】
１つの可能な実現形態において、前記端末のアクセス目的が初期アクセスを要求することであると、前記基地局が送信したＭＳＧ２を受信し、前記ＭＳＧ２にＭＳＧ３に対応するアップリンクスケジューリング情報が含まれる。
【００１４】
１つの可能な実現形態において、前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つ前記端末により前記基地局のブロードキャストメッセージを受信することによって取得されるか、或いは前記予め設定されたマッピング関係はシステムにより事前設定されて且つ前記基地局と前記端末に記憶される。
【００１５】
本発明の実施例の第３態様は基地局を提供し、
端末が送信したＭＳＧ１を受信することに用いられる受信ユニットと、
前記端末がＭＳＧ１を送信する際に使用された物理ランダムアクセスチャネルリソースと前記端末アクセス目的との予め設定されたマッピング関係に基づき前記端末のアクセス目的を確定することに用いられ、前記アクセス目的はシステム情報を要求すること、初期アクセスを要求すること、或いはシステム情報及び初期アクセスを同時に要求することを含む処理ユニットと、
前記端末のアクセス目的がシステム情報を要求すること、或いはシステム情報及び初期アクセスを同時に要求することであると、前記端末にＭＳＧ２を送信することに用いられ、前記ＭＳＧ２にシステム情報或いは前記システム情報に対応するスケジューリング情報が含まれる送信ユニットと、を備えることを特徴とする。
【００１６】
１つの可能な実現形態において、前記端末のアクセス目的がシステム情報を要求することであると、送信ユニットは更に、
前記端末が要求するシステム情報をブロードキャストすることに用いられる。
【００１７】
１つの可能な実現形態において、前記端末のアクセス目的がシステム情報及び初期アクセスを同時に要求することであると、前記ＭＳＧ２にＭＳＧ３に対応するアップリンクスケジューリング情報が更に含まれる。
【００１８】
１つの可能な実現形態において、前記端末のアクセス目的が初期アクセスを要求することであると、前記送信ユニットは更に前記端末にＭＳＧ２を送信することに用いられ、前記ＭＳＧ２にＭＳＧ３に対応するアップリンクスケジューリング情報が含まれる。
【００１９】
１つの可能な実現形態において、前記物理ランダムアクセスチャネルリソースと前記端末アクセス目的との予め設定されたマッピング関係は多対１マッピングまたは１対１マッピングであり、且つ前記予め設定されたマッピング関係は前記処理ユニットにより設定されてブロードキャストメッセージによって前記端末に通知されるか、或いは前記予め設定されたマッピング関係はシステムにより事前設定されて且つ前記基地局と前記端末に記憶される。
【００２０】
本発明の実施例の第４態様は基地局を提供し、
プロセッサー、メモリ、トランシーバー及びバスを備え、前記プロセッサー、メモリ及びトランシーバーはバスによって接続され、ここで、前記トランシーバーは信号を送受信して、端末と通信することに用いられ、前記メモリは１組のプログラムコードを記憶することに用いられ、前記プロセッサーは前記メモリに記憶されたプログラムコードを呼び出して、
前記トランシーバーによって端末が送信したＭＳＧ１を受信することと、
前記端末がＭＳＧ１を送信する際に使用された物理ランダムアクセスチャネルリソースと前記端末アクセス目的との予め設定されたマッピング関係に基づき前記端末のアクセス目的を確定し、前記アクセス目的はシステム情報を要求すること、初期アクセスを要求すること、或いはシステム情報及び初期アクセスを同時に要求することを含むことと、
前記端末のアクセス目的がシステム情報を要求すること、或いはシステム情報及び初期アクセスを同時に要求することであると、前記トランシーバーによって前記端末にシステム情報或いは前記システム情報に対応するスケジューリング情報が含まれるＭＳＧ２を送信することとを実行することを特徴とする。
【００２１】
１つの可能な実現形態において、前記端末のアクセス目的がシステム情報を要求することであると、前記プロセッサーは更に、
前記トランシーバーによって前記端末が要求するシステム情報をブロードキャストすることに用いられる。
【００２２】
１つの可能な実現形態において、前記端末のアクセス目的がシステム情報及び初期アクセスを同時に要求することであると、前記ＭＳＧ２にＭＳＧ３に対応するアップリンクスケジューリング情報が更に含まれる。
【００２３】
１つの可能な実現形態において、前記端末のアクセス目的が初期アクセスを要求することであると、前記基地局が前記端末にＭＳＧ２を送信し、前記ＭＳＧ２にＭＳＧ３に対応するアップリンクスケジューリング情報が含まれる。
【００２４】
１つの可能な実現形態において、前記物理ランダムアクセスチャネルリソースと前記端末アクセス目的との予め設定されたマッピング関係は多対１マッピングまたは１対１マッピングであり、且つ前記予め設定されたマッピング関係は前記プロセッサーにより設定されて且つブロードキャストメッセージによって前記端末に通知されるか、或いは前記予め設定されたマッピング関係はシステムにより事前設定されて且つ前記基地局と前記端末に記憶される。
【００２５】
本発明の実施例の第５態様は端末を提供し、
アクセス目的に基づき前記アクセス目的と予め設定されたマッピング関係がある物理ランダムアクセスチャネルリソースを選択することに用いられ、前記アクセス目的はシステム情報を要求すること、初期アクセスを要求すること、或いはシステム情報及び初期アクセスを同時に要求することを含む処理ユニットと、
選択された物理ランダムアクセスチャネルリソースを使用して基地局にＭＳＧ１を送信することに用いられる送信ユニットと、
前記端末のアクセス目的がシステム情報を要求すること、或いはシステム情報及び初期アクセスを同時に要求することであると、前記基地局が送信したＭＳＧ２を受信することに用いられ、前記ＭＳＧ２にシステム情報或いは前記システム情報に対応するスケジューリング情報が含まれる受信ユニットとを備えることを特徴とする。
【００２６】
１つの可能な実現形態において、前記端末のアクセス目的がシステム情報を要求することであると、前記受信ユニットは更に、
前記基地局がブロードキャストしたシステム情報を受信することに用いられる。
【００２７】
１つの可能な実現形態において、前記端末のアクセス目的がシステム情報及び初期アクセスを同時に要求することであると、前記ＭＳＧ２にＭＳＧ３に対応するアップリンクスケジューリング情報が更に含まれる。
【００２８】
１つの可能な実現形態において、前記端末のアクセス目的が初期アクセスを要求することであると、受信ユニットは更に前記基地局が送信したＭＳＧ２を受信することに用いられ、前記ＭＳＧ２にＭＳＧ３に対応するアップリンクスケジューリング情報が含まれる。  
【００２９】
１つの可能な実現形態において、前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つ前記受信ユニットにより前記基地局のブロードキャストメッセージを受信することによって取得されるか、或いは前記予め設定されたマッピング関係はシステムにより事前設定されて且つ前記基地局と前記端末に記憶される。
【００３０】
本発明の実施例の第６態様は端末を提供し、
プロセッサー、メモリ、トランシーバー及びバスを備え、前記プロセッサー、メモリ、トランシーバーはバスによって接続され、ここで、前記トランシーバーは信号を送受信して、基地局と通信することに用いられ、前記メモリは１組のプログラムコードを記憶することに用いられ、前記プロセッサーは前記メモリに記憶されたプログラムコードを呼び出して、
アクセス目的に基づき前記アクセス目的と予め設定されたマッピング関係がある物理ランダムアクセスチャネルリソースを選択し、前記アクセス目的はシステム情報を要求すること、初期アクセスを要求すること、或いはシステム情報及び初期アクセスを同時に要求することを含むことと、
選択された物理ランダムアクセスチャネルリソースを使用して前記トランシーバーによって基地局にＭＳＧ１を送信することと、
前記端末のアクセス目的がシステム情報を要求すること、或いはシステム情報及び初期アクセスを同時に要求することであると、前記トランシーバーによって前記基地局が送信したシステム情報或いは前記システム情報に対応するスケジューリング情報が含まれるＭＳＧ２を受信することとを実行することを特徴とする。
【００３１】
１つの可能な実現形態において、前記端末のアクセス目的がシステム情報を要求することであると、前記プロセッサーは更に、
前記トランシーバーによって前記基地局がブロードキャストしたシステム情報を受信することに用いられる。
【００３２】
１つの可能な実現形態において、前記端末のアクセス目的がシステム情報及び初期アクセスを同時に要求することであると、前記ＭＳＧ２にＭＳＧ３に対応するアップリンクスケジューリング情報が更に含まれる。
【００３３】
１つの可能な実現形態において、前記端末のアクセス目的が初期アクセスを要求することであると、前記プロセッサーは更に前記トランシーバーによって前記基地局が送信したＭＳＧ２を受信することに用いられ、前記ＭＳＧ２にＭＳＧ３に対応するアップリンクスケジューリング情報が含まれる。
【００３４】
１つの可能な実現形態において、前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つ前記プロセッサーにより前記トランシーバーが前記基地局のブロードキャストメッセージを受信することによって取得されるか、或いは前記予め設定されたマッピング関係はシステムにより事前設定されて且つ前記基地局と前記端末に記憶される。
【００３５】
本発明の実施例の第７態様はコンピュータ記憶媒体を提供し、前記コンピュータ記憶媒体は１組のプログラムコードを含み、本発明の実施例の第１態様のいずれかの実現形態に記載の方法を実行することに用いられる。
【００３６】
本発明の実施例の第８態様はコンピュータ記憶媒体を提供し、前記コンピュータ記憶媒体は１組のプログラムコードを含み、本発明の実施例の第２態様のいずれかの実現形態に記載の方法を実行することに用いられる。
【発明の効果】
【００３７】
本発明の実施例を実施するのは、以下のような有益な効果を有し、
基地局は端末が送信したＭＳＧ１を受信する際に、前記端末がＭＳＧ１を送信する際に使用されたＰＲＡＣＨリソースと前記端末アクセス目的との予め設定されたマッピング関係に基づき前記端末のアクセス目的を確定することができ、前記端末のアクセス目的がシステム情報を要求すること、或いはシステム情報及び初期アクセスを同時に要求することである際に、前記端末にシステム情報或いは前記システム情報に対応するスケジューリング情報が含まれるＭＳＧ２を送信でき、これによって、システム情報の伝送を実現する。ＭＳＧ１とＭＳＧ２の機能を拡張し、新しいシグナリングを増加する必要せずにシステム情報の伝送を完成することができ、シグナリングリソースを節約することに役立ち、且つ端末のランダムアクセスインタラクションプロセスを兼ねることができ、システムの効率の向上に有利である。
【図面の簡単な説明】
【００３８】
本発明の実施例又は従来の技術における技術的解決手段をより明確に説明するために、以下、実施例に使用する必要がある図面を簡単に説明し、明らかに、以下で説明する図面はただ本発明の一部の実施例に過ぎず、当業者にとって、創造的な作業なしに更にこれらの図面に基づいてその他の図面を取得することができる。
【図１】本発明の実施例における通信システムを示すアーキテクチャの模式図である。
【図２】本発明のシステム情報を伝送する方法の第１実施例を示すフローチャートである。
【図３】本発明のシステム情報を伝送する方法の第２実施例を示すフローチャートである。
【図４】本発明のシステム情報を伝送する方法の第３実施例を示すフローチャートである。
【図５】本発明のシステム情報を伝送する方法の第４実施例を示すフローチャートである。
【図６】本発明の基地局の第１実施例を示す構成模式図である。
【図７】本発明の基地局の第２実施例を示す構成模式図である。
【図８】本発明の端末の第１実施例を示す構成模式図である。
【図９】本発明の端末の第２実施例を示す構成模式図である。
【発明を実施するための形態】
【００３９】
本発明の明細書、請求項の範囲及び上記の図面における用語「含む」及び「有する」及びそれらの任意の変形は、非排他的な包含を含むと意図する。例えば一連のステップ又はユニットを含むプロセス、方法、システム、製品又は装置は挙げられたステップ又はユニットに限られなく、挙げられないステップ又はユニットを含んでもよく、或いはこれらのプロセス、方法、製品又は装置に固有のその他のステップ又はユニットを更に含んでもよい。
【００４０】
人々の通信ニーズが高まり続けるにつれて、通信技術は急速に発展しており、より広い帯域幅、より高速のアップリンク及びダウンリンク伝送速度などをユーザに提供することができる。例えば、５Ｇシステムにおいて、最大２００ＭＨｚのシステム帯域幅を提供できる。しかし、ユーザ数が増え続けるにつれて、システム作業の効率がますます重要になる。通信システムの効率的な動作を保証するために、基地局はいくつかの情報の冗長送信を減らすことを望んでいる。このため、本発明の実施例はシステム情報を伝送する方法を提供し、基地局が端末から送信したＭＳＧ１を受信した後に、端末のアクセス目的を取得することによって、端末のアクセス目的に基づき柔軟的に返信することができ、これによってシステム効率を最適化する。説明の便利のため、本発明の実施例において５Ｇシステムを例として説明し、当業者は理解すべきなのは、本発明の実施例における実施形態は同様に従来の通信システム及び将来のより高いレベル例えば６Ｇ、７Ｇの通信システムに適用でき、本発明の実施例は何ら限定もしない。
【００４１】
以下で、図面を組み合わせて、本発明の実施例によるシステム情報を伝送する方法及び装置を詳細的に説明する。
【００４２】
図１に示すとおり、本発明の実施例における通信システムを示すアーキテクチャ模式図である。基地局及び少なくとも１つの端末を備えてよく、端末はユーザ装置（Ｕｓｅｒ  Ｅｑｕｉｐｍｅｎｔ、ＵＥ）と呼ばれてもよい。
【００４３】
ここで、基地局は発展型ノードＢ（ｅｖｏｌｖｅｄ  Ｎｏｄｅ  Ｂ、ｅＮＢ）、ノードＢ（Ｎｏｄｅ  Ｂ、ＮＢ）、基地局コントローラー（Ｂａｓｅ  Ｓｔａｔｉｏｎ  Ｃｏｎｔｒｏｌｌｅｒ、ＢＳＣ）、基地局トランシーバステーション（Ｂａｓｅ  Ｔｒａｎｓｃｅｉｖｅｒ  Ｓｔａｔｉｏｎ、  ＢＴＳ）、ホーム基地局（例えば、Ｈｏｍｅ  ｅｖｏｌｖｅｄ  ＮｏｄｅＢ、又はＨｏｍｅ  Ｎｏｄｅ  Ｂ、ＨＮＢ）、ベースバンドユニット（ＢａｓｅＢａｎｄ  Ｕｎｉｔ、ＢＢＵ）等であってよい。それらは当業者によって基地局トランシーバー、無線基地局、無線トランシーバー、トランシーバー機能、基地局サブシステム（Ｂａｓｅ  Ｓｔａｔｉｏｎ  Ｓｕｂ  ｓｙｓｔｅｍ、ＢＳＳ）或いはいくつかのその他の適切な用語とも呼ばれることができる。ＭＳＧ１〜ＭＳＧ４によって端末とランダムアクセスプロセスを完成し、端末と無線リソース制御（Ｒａｄｉｏ  Ｒｅｓｏｕｒｃｅ  Ｃｏｎｔｒｏｌ、ＲＲＣ）接続を完成することができ、それと同時に、ＭＳＧ１とＭＳＧ２との対話を通して、システム情報の送信を完成することができ、シグナリングオーバーヘッドを削減するのに役立ち、システム効率を最適化する。
【００４４】
ここで、端末はセルラー電話、スマートフォン、セッション開始プロトコル（Ｓｅｓｓｉｏｎ  Ｉｎｉｔｉａｔｉｏｎ  Ｐｒｏｔｏｃｏｌ、ＳＩＰ）電話、ノートパソコン、パーソナル・デジタル・アシスタント（Ｐｅｒｓｏｎａｌ  Ｄｉｇｉｔａｌ  Ａｓｓｉｓｔａｎｔ  、ＰＤＡ）、衛星ラジオ、全地球測位システム、マルチメディア機器、ビデオ機器、デジタルオーディオプレーヤー（例えば、ＭＰ３プレーヤー）、カメラ、ゲームコンソール或いはその他の任意の類似の機能を有する機器を含んでよい。端末は当業者に移動局、加入者局、移動ユニット、加入者ユニット、無線ユニット、遠隔ユニット、モバイル装置、無線装置、無線通信装置、遠隔装置、モバイル加入者局、アクセス端末、モバイル端末、無線端末、遠隔端末、ハンドヘルド装置、ユーザーエージェント、モバイルクライアント、クライアント或いはいくつかのその他の適切な用語と呼ばれることもある。それは適切な物理ランダムアクセスチャネル  （Ｐｈｙｓｉｃａｌ  Ｒａｎｄｏｍ  Ａｃｃｅｓｓ  Ｃｈａｎｎｅｌ、ＰＲＡＣＨ）リソース例えばタイムドメインリソース及び／又は周波数ドメインリソース及び／又はコードドメインリソースを選択し、基地局に自分のアクセス目的を知らせ、自分が望む情報を取得することができる。
【００４５】
以下、図２〜図５を組み合わせて本発明のシステム情報を伝送する方法を詳細的に説明する。
【００４６】
図２に示すとおり、本発明のシステム情報を伝送する方法の第１実施例を示すフローチャートである。本実施例において、前記システム情報を伝送する方法は、以下のステップＳ２０１からステップＳ２０３を含む。
Ｓ２０１、基地局が端末から送信されたＭＳＧ１を受信する。
【００４７】
一実施例において、端末が送信したＭＳＧ１に、初期アクセスを要求するための普通のランダムアクセス要求を含む以外、システム情報要求を更に含んでよく、或いはシステム情報要求のみを含んでもよく、それによりＭＳＧ１の機能を拡張する。
【００４８】
Ｓ２０２、前記端末がＭＳＧ１を送信する際に使用された物理ランダムアクセスチャネルリソースと前記端末アクセス目的との予め設定されたマッピング関係に基づき前記端末のアクセス目的を確定する。
【００４９】
一実施例において、前記アクセス目的はシステム情報を要求すること、初期アクセスを要求すること、或いはシステム情報及び初期アクセスを同時に要求することを含む。
【００５０】
端末はＭＳＧ１を送信するＰＲＡＣＨリソースを選択して基地局にこれらの異なるアクセス目的を通知することができる。システムは端末のアクセス目に基づき端末が使用するＰＲＡＣＨリソースを少なくとも３種に予め分けることができ、１つ目はシステムにシステム情報を要求することのみに用いられ、２つ目は初期アクセスを要求することのみに用いられ、３つ目はステム情報を要求することに用いられると同時に初期アクセスを要求することに用いられる。
【００５１】
説明する必要があるのは、前記ＰＲＡＣＨリソースはタイムドメインリソース、周波数ドメインリソース及びコードドメインリソースの異なる組み合わせであってよい。例えば、上記の少なくとも３種のアクセス目的に基づき、ＰＲＡＣＨが使用する時間周波数リソースを少なくとも３つに分け、各時間周波数リソースは異なるアクセス目的に対応する。更に、例えば、上記の少なくとも３種のアクセス目的に基づき、ＰＲＡＣＨが使用するリードシーケンス（ｐｒｅａｍｂｌｅ）を３種に分け、各種のシーケンスは異なるアクセス目的に対応する。或いは時間周波数リソースとリードシーケンスとの異なる組み合わせは異なるアクセス目的に対応する。
【００５２】
一実施例において、前記物理ランダムアクセスチャネルリソースと前記端末アクセス目的との予め設定されたマッピング関係は多対１マッピングまたは１対１マッピングであってよく、且つ前記予め設定されたマッピング関係は前記基地局により設定されてブロードキャストメッセージによって前記端末に通知されることができ、或いは前記予め設定されたマッピング関係はシステムにより事前設定されて且つ前記基地局と前記端末に記憶され、システム標準として使用され、本発明の実施例は何ら限定もしない。
【００５３】
端末は異なるアクセス目的に基づき、対応したＰＲＡＣＨリソースを選択してＰＲＡＣＨ  ｐｒｅａｍｂｌｅを送信することができる。端末は同時にシステム情報の要求と初期アクセスを要求するニーズがある場合、端末はＭＳＧ１を１回送信するだけでよく、これにより端末の消費電力を節約することに役立ち、同時に、競合アクセスのシナリオでは、PRACHの衝突確率も減らすことができる。
【００５４】
Ｓ２０３、前記端末のアクセス目的がシステム情報を要求すること、或いはシステム情報及び初期アクセスを同時に要求することであると、前記基地局が前記端末にＭＳＧ２を送信し、前記ＭＳＧ２にシステム情報或いは前記システム情報に対応するスケジューリング情報が含まれる。
【００５５】
即ち、端末のアクセス目的がシステム情報を要求することである際に、基地局によりＭＳＧ２を送信することができ、端末が要求したシステム情報を携え、或いは前記システム情報に対応するスケジューリング情報を携えてもよく、端末はスケジューリング情報を受信した後に、スケジューリング情報に基づき要求したシステム情報を取得することができる。ここで、新しいシグナリングを作成する必要せず、ＭＳＧ２の機能を拡張する。端末の目的がシステム情報及び初期アクセスを同時に要求することである場合に、ＭＳＧ２にＭＳＧ３に対応するアップリンクスケジューリング情報が更に含まれるだけでよく、端末はＭＳＧ３に対応するアップリンクスケジューリング情報に基づき基地局にＲＲＣ接続要求を開始し、且つ基地局が送信したＭＳＧ４を受信し、ランダムアクセスを完成することができる。且つＭＳＧ１にシステム情報要求が更に含まれるため、基地局は同時にＭＳＧ２に端末が要求するシステム情報を携えてもよく、それによりシステム情報の伝送及び初期アクセスを完成する。
【００５６】
このため、基地局が端末からのシステム情報及び／又は初期アクセスに対する要求を区別することができる場合、基地局はＭＳＧ２を送信することによって異なる情報内容を携えて、端末の様々な需要を満たすことができ、新しいシグナリングを作成する必要せず、且つ２つの過程が同時に行うことができ、シグナリングを節約することができるだけでなく、システムの効率を向上させることができる。
【００５７】
本発明の実施例において、基地局は端末が送信したＭＳＧ１を受信した際に、前記端末がＭＳＧ１を送信する際に使用したＰＲＡＣＨリソースと前記端末アクセス目的との予め設定されたマッピング関係に基づき前記端末のアクセス目的を確定することができ、前記端末のアクセス目的がシステム情報を要求すること、或いはシステム情報及び初期アクセスを同時に要求することである際に、前記端末にＭＳＧ２を送信し、システム情報或いは前記システム情報に対応するスケジューリング情報が含まれることによって、システム情報の伝送を実現する。ＭＳＧ１とＭＳＧ２の機能を拡張し、新しいシグナリングを増加する必要せずにシステム情報の伝送を完成することができ、シグナリングリソースを節約することに役立ち、且つ端末のランダムアクセスインタラクションプロセスを兼ねることができ、システムの効率の向上に有利である。
【００５８】
当然のことながら、端末は送信されたＭＳＧ１にアクセス目的の識別情報を添付してもよく、該識別情報は基地局と予め約束されてもよく、システムによりデフォルト設定されてもよく、基地局は該ＭＳＧ１を受信した後に、該識別情報に基づき端末のアクセス目的を取得し、次に、対応するＭＳＧ２を端末に返してもよく、本発明の実施例は何ら限定もしない。
【００５９】
図３に示すとおり、本発明のシステム情報を伝送する方法の第２実施例を示すフローチャートである。本実施例において、前記方法は以下のステップＳ３０１からステップＳ３０５を含む。
Ｓ３０１、基地局が端末から送信されたＭＳＧ１を受信する。
【００６０】
Ｓ３０２、前記端末がＭＳＧ１を送信する際に使用された物理ランダムアクセスチャネルリソースと前記端末アクセス目的との予め設定されたマッピング関係に基づき前記端末のアクセス目的を確定する。
【００６１】
前記アクセス目的はシステム情報を要求すること、初期アクセスを要求すること、或いはシステム情報及び初期アクセスを同時に要求することを含む。
【００６２】
Ｓ３０３、前記端末のアクセス目的がシステム情報を要求することであると、前記端末が要求するシステム情報をブロードキャストするか、或いは前記端末にＭＳＧ２を送信し、前記ＭＳＧ２にシステム情報或いは前記システム情報に対応するスケジューリング情報が含まれる。
【００６３】
Ｓ３０４、前記端末のアクセス目的がシステム情報及び初期アクセスを同時に要求することであると、前記端末にＭＳＧ２を送信し、前記ＭＳＧ２にシステム情報或いは前記システム情報に対応するスケジューリング情報が含まれ、ＭＳＧ３に対応するアップリンクスケジューリング情報が更に含まれる。
【００６４】
Ｓ３０５、前記端末のアクセス目的が初期アクセスを要求することであると、前記基地局は前記端末にＭＳＧ２を送信し、前記ＭＳＧ２にＭＳＧ３に対応するアップリンクスケジューリング情報が含まれる。
【００６５】
本実施例において、具体的に基地局は如何に端末がＭＳＧ１を送信するアクセス目的に基づき柔軟に返信するかを説明しており、端末はＭＳＧ１を使用して基地局に異なる需要を知らせることができ、基地局はＭＳＧ２を使用して異なる情報を携えて端末に送信してもよく、情報の交換プロセスの全体において、従来のランダムアクセスプロセスのＭＳＧ１〜ＭＳＧ４のみを使用して端末の異なる需要を実現することができる。このため、端末の需要を十分に満たすことができるのを保証すると同時に、従来のシグナリングを使用してシステム情報の伝送を行うことができ、それによりシグナリングリソースを節約し、システムの効率を向上させる。
【００６６】
図４に示すとおり、本発明のシステム情報を伝送する方法の第３実施例を示すフローチャートである。本実施例において、前記方法は以下のステップＳ４０１からステップＳ４０３を含む。
Ｓ４０１、端末がアクセス目的に基づき前記アクセス目的と予め設定されたマッピング関係がある物理ランダムアクセスチャネルリソースを選択する。
【００６７】
Ｓ４０２、選択された物理ランダムアクセスチャネルリソースを使用して基地局にＭＳＧ１を送信する。
Ｓ４０３、前記端末のアクセス目的がシステム情報を要求すること、或いはシステム情報及び初期アクセスを同時に要求することであると、前記基地局が送信したＭＳＧ２を受信し、前記ＭＳＧ２にシステム情報或いは前記システム情報に対応するスケジューリング情報が含まれる。
【００６８】
前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つ前記端末により前記基地局のブロードキャストメッセージを受信することによって取得されるか、或いは前記予め設定されたマッピング関係はシステムにより事前設定されて且つ前記基地局と前記端末に記憶される。
【００６９】
図４は端末側の実施例の説明であり、具体的なプロセスは図２に示したような基地局側の実施例の説明を参照でき、ここで繰り返して説明しない。
【００７０】
図５に示すとおり、本発明のシステム情報を伝送する方法の第４実施例を示すフローチャートである。本実施例において、前記方法は以下のステップＳ５０１からステップＳ５０５を含む。
Ｓ５０１、端末がアクセス目的に基づき前記アクセス目的と予め設定されたマッピング関係がある物理ランダムアクセスチャネルリソースを選択する。
【００７１】
Ｓ５０２、選択された物理ランダムアクセスチャネルリソースを使用して基地局にＭＳＧ１を送信する。
Ｓ５０３、前記端末のアクセス目的がシステム情報を要求することであると、前記基地局がブロードキャストしたシステム情報を受信するか、或いは前記基地局が送信したＭＳＧ２を受信し、前記ＭＳＧ２にシステム情報或いは前記システム情報に対応するスケジューリング情報が含まれる。
【００７２】
Ｓ５０４、前記端末のアクセス目的がシステム情報及び初期アクセスを同時に要求することであると、前記基地局が送信したＭＳＧ２を受信し、前記ＭＳＧ２にシステム情報或いは前記システム情報に対応するスケジューリング情報が含まれ、前記ＭＳＧ２にＭＳＧ３に対応したアップリンクスケジューリング情報が更に含まれる。
【００７３】
Ｓ５０５、前記端末のアクセス目的が初期アクセスを要求することであると、前記基地局が送信したＭＳＧ２を受信し、前記ＭＳＧ２にＭＳＧ３に対応したアップリンクスケジューリング情報が含まれる。
【００７４】
図５は端末側の実施例の説明であり、具体的なプロセスは図３に示したような基地局側の実施例の説明を参照でき、ここで繰り返して説明しない。
【００７５】
図６に示すとおり、本発明の基地局の第１実施例を示す構成模式図である。本実施例において、前記基地局は、
端末が送信したＭＳＧ１を受信することに用いられる受信ユニット１００と、
前記端末がＭＳＧ１を送信する際に使用された物理ランダムアクセスチャネルリソースと前記端末アクセス目的との予め設定されたマッピング関係に基づき前記端末のアクセス目的を確定することに用いられ、前記アクセス目的はシステム情報を要求すること、初期アクセスを要求すること、或いはシステム情報及び初期アクセスを同時に要求することを含む処理ユニット２００と、
前記端末のアクセス目的がシステム情報を要求すること、或いはシステム情報及び初期アクセスを同時に要求することであると、前記端末にＭＳＧ２を送信することに用いられ、前記ＭＳＧ２にシステム情報或いは前記システム情報に対応したスケジューリング情報が含まれる送信ユニット３００と、を備える。
【００７６】
一実施例において、前記端末のアクセス目的がシステム情報を要求することであると、送信ユニット３００は更に、
前記端末が要求するシステム情報をブロードキャストすることに用いられる。
【００７７】
一実施例において、前記端末のアクセス目的がシステム情報及び初期アクセスを同時に要求することであると、前記ＭＳＧ２にＭＳＧ３に対応したアップリンクスケジューリング情報が更に含まれる。
【００７８】
一実施例において、前記端末のアクセス目的が初期アクセスを要求することであると、前記送信ユニット３００は更に前記端末にＭＳＧ２を送信することに用いられ、前記ＭＳＧ２にＭＳＧ３に対応するアップリンクスケジューリング情報が含まれる。
【００７９】
一実施例において、前記物理ランダムアクセスチャネルリソースと前記端末アクセス目的との予め設定されたマッピング関係は多対１マッピングまたは１対１マッピングであり、且つ前記予め設定されたマッピング関係は前記処理ユニット２００により設定されてブロードキャストメッセージによって前記端末に通知されるか、或いは前記予め設定されたマッピング関係はシステムにより事前設定されて且つ前記基地局と前記端末に記憶される。
【００８０】
図７に示すとおり、本発明の基地局の第２実施例を示す構成模式図である。本実施例において、前記基地局は、
プロセッサー１１０、メモリ１２０、トランシーバー１３０及びバス１４０を備え、前記プロセッサー１１０、メモリ１２０及びトランシーバー１３０はバス１４０によって接続され、前記トランシーバー１３０は信号を送受信して、端末と通信することに用いられ、前記メモリ１２０は１組のプログラムコードを記憶することに用いられ、前記プロセッサー１１０は前記メモリ１２０に記憶されたプログラムコードを呼び出して、
前記トランシーバーによって端末が送信したＭＳＧ１を受信することと、
前記端末がＭＳＧ１を送信する際に使用された物理ランダムアクセスチャネルリソースと前記端末アクセス目的との予め設定されたマッピング関係に基づき前記端末のアクセス目的を確定し、前記アクセス目的はシステム情報を要求すること、初期アクセスを要求すること、或いはシステム情報及び初期アクセスを同時に要求することを含むことと、
前記端末のアクセス目的がシステム情報を要求すること、或いはシステム情報及び初期アクセスを同時に要求することであると、前記トランシーバーによって前記端末にシステム情報或いは前記システム情報に対応するスケジューリング情報が含まれるＭＳＧ２を送信することとを実行する。
【００８１】
一実施例において、前記端末のアクセス目的がシステム情報を要求することであると、前記プロセッサー１１０は更に、
前記トランシーバー１３０によって前記端末が要求するシステム情報をブロードキャストすることに用いられる。
【００８２】
一実施例において、前記端末のアクセス目的がシステム情報及び初期アクセスを同時に要求することであると、前記ＭＳＧ２にＭＳＧ３に対応するアップリンクスケジューリング情報が更に含まれる。
【００８３】
一実施例において、前記端末のアクセス目的が初期アクセスを要求することであると、前記プロセッサー１１０は更に前記トランシーバー１３０によって前記端末にＭＳＧ２を送信することに用いられ、前記ＭＳＧ２にＭＳＧ３に対応したアップリンクスケジューリング情報が含まれる。
【００８４】
一実施例において、前記物理ランダムアクセスチャネルリソースと前記端末アクセス目的との予め設定されたマッピング関係は多対１マッピングまたは１対１マッピングであり、且つ前記予め設定されたマッピング関係は前記プロセッサー１１０により設定されてブロードキャストメッセージによって前記端末に通知されるか、或いは前記予め設定されたマッピング関係はシステムにより事前設定されて且つ前記基地局と前記端末に記憶される。
【００８５】
図８に示すとおり、本発明の端末の第１実施例を示す構成模式図である、本実施例において、前記端末は、
アクセス目的に基づき前記アクセス目的と予め設定されたマッピング関係がある物理ランダムアクセスチャネルリソースを選択することに用いられ、前記アクセス目的はシステム情報を要求すること、初期アクセスを要求すること、或いはシステム情報及び初期アクセスを同時に要求することを含む処理ユニット４００と、
選択された物理ランダムアクセスチャネルリソースを使用して基地局にＭＳＧ１を送信することに用いられる送信ユニット５００と、
前記端末のアクセス目的がシステム情報を要求すること、或いはシステム情報及び初期アクセスを同時に要求することであると、前記基地局が送信したＭＳＧ２を受信することに用いられ、前記ＭＳＧ２にシステム情報或いは前記システム情報に対応するスケジューリング情報が含まれる受信ユニット６００と、を備える。
【００８６】
一実施例において、前記端末のアクセス目的がシステム情報を要求することであると、前記受信ユニット６００は更に、
前記基地局がブロードキャストしたシステム情報を受信することに用いられる。
【００８７】
一実施例において、前記端末のアクセス目的がシステム情報及び初期アクセスを同時に要求することであると、前記ＭＳＧ２にＭＳＧ３に対応するアップリンクスケジューリング情報が更に含まれる。
【００８８】
一実施例において、前記端末のアクセス目的が初期アクセスを要求することであると、受信ユニット６００は更に前記基地局が送信したＭＳＧ２を受信することに用いられ、前記ＭＳＧ２にＭＳＧ３に対応するアップリンクスケジューリング情報が含まれる。
【００８９】
一実施例において、前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて前記受信ユニット６００により前記基地局のブロードキャストメッセージを受信することによって取得されるか、或いは前記予め設定されたマッピング関係はシステムにより事前設定されて且つ前記基地局と前記端末に記憶される。
【００９０】
図９に示すとおり、本発明の端末の第２実施例を示す構成模式図である。本実施例において、前記端末は、
プロセッサー２１０、メモリ２２０、トランシーバー２３０及びバス２４０を備え、前記プロセッサー２１０、メモリ２２０、トランシーバー２３０はバス２４０によって接続され、前記トランシーバー２３０は信号を送受信して、基地局と通信することに用いられ、前記メモリ２２０は１組のプログラムコードを記憶することに用いられ、前記プロセッサー２１０は前記メモリ２２０に記憶されたプログラムコードを呼び出して、
アクセス目的に基づき前記アクセス目的と予め設定されたマッピング関係がある物理ランダムアクセスチャネルリソースを選択し、前記アクセス目的はシステム情報を要求すること、初期アクセスを要求すること、或いはシステム情報及び初期アクセスを同時に要求することを含むことと、
選択された物理ランダムアクセスチャネルリソースを使用して前記トランシーバーによって基地局にＭＳＧ１を送信することと、
前記端末のアクセス目的がシステム情報を要求すること、或いはシステム情報及び初期アクセスを同時に要求することであると、前記トランシーバー２３０によって前記基地局が送信したシステム情報或いは前記システム情報に対応するスケジューリング情報が含まれるＭＳＧ２を受信することとを実行する。
【００９１】
一実施例において、前記端末のアクセス目的がシステム情報を要求することであると、前記プロセッサー２１０は更に、
前記トランシーバー２３０によって前記基地局がブロードキャストしたシステム情報を受信することに用いられる。
【００９２】
一実施例において、前記端末のアクセス目的がシステム情報及び初期アクセスを同時に要求することであると、前記ＭＳＧ２にＭＳＧ３に対応するアップリンクスケジューリング情報が更に含まれる。
【００９３】
一実施例において、前記端末のアクセス目的が初期アクセスを要求することであると、前記プロセッサー２１０は更に前記トランシーバー２３０によって前記基地局が送信したＭＳＧ２を受信することに用いられ、前記ＭＳＧ２にＭＳＧ３に対応するアップリンクスケジューリング情報が含まれる。
【００９４】
一実施例において、前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて前記プロセッサー２１０が前記トランシーバー２３０によって前記基地局のブロードキャストメッセージを受信することによって取得されるか、或いは前記予め設定されたマッピング関係はシステムにより事前設定されて且つ前記基地局と前記端末に記憶される。
【００９５】
本発明の実施例に紹介された基地局は本発明の図２〜図３を組み合わせて紹介した方法実施例における一部又は全部のフローを実施し、及び本発明の図６を組み合わせて紹介した装置実施例における一部又は全部の機能を実行することに用いられることができ、本発明の実施例に紹介された端末は本発明の図４〜図５を組み合わせて紹介した方法実施例における一部又は全部のフローを実施し、及び本発明の図８を組み合わせて紹介した装置実施例における一部又は全部の機能を実行することに用いられることができ、ここで繰り返して説明しない。
【００９６】
１つ又は複数の例において、説明された機能はハードウェア、ソフトウェア、ファームウェアまたはそれらの任意の組み合わせによって実施されることができる。ソフトウェアで実施されると、機能は１つ又は複数の命令又はコードとしてコンピュータ可読媒体に記憶されることができ或いはコンピュータ可読媒体を介して送信され、且つハードウェアに基づいた処理ユニットによって実行されることができる。コンピュータ可読媒体はコンピュータ可読記憶媒体（それは例えばデータ記憶媒体等の有形媒体に対応する）又は通信媒体を含んでよく、通信媒体は（例えば）通信プロトコルに準じてある場所から別の場所へのコンピュータプログラムの転送を促進する任意の媒体を含む。これにより、コンピュータ可読媒体は概して（１）非一時的有形コンピュータ可読記憶媒体、又は（２）例えば信号又はキャリアー等の通信媒体に対応できる。データ記憶媒体は命令、コード及び／又はデータ構造を検索するように、１つ又は複数のコンピュータ又は１つ又は複数のプロセッサーによりアクセスし、本発明に説明された技術を実行するための任意の使用可能な媒体であってもよい。コンピュータプログラム製品はコンピュータ可読媒体を含んでよい。
【００９７】
例は限定ではなく、あるコンピュータ可読記憶媒体はＲＡＭ、ＲＯＭ、ＥＥＰＲＯＭ、ＣＤ−ＲＯＭ又はその他の光ディスクメモリ、磁気ディスクメモリ又はその他の磁気記憶装置、フラッシュメモリ、或いは命令又はデータ構造の例の必要なプログラムコードを記憶することに用いられることができ且つコンピュータによりアクセスすることができる任意のその他の媒体を含んでよい。且つ、任意の接続は適切にコンピュータ可読媒体と呼ばれることができる。例えば、同軸ケーブル、光ケーブル、ツイストペア、デジタル加入者線（ＤＳＬ）又は無線技術（例えば、赤外線、ラジオ及びマイクロ波）を使用してウェブサイト、サーバー又はその他のリモートソースから命令を送信すると、同軸ケーブル、光ケーブル、ツイストペア、ＤＳＬ又は無線技術（例えば、赤外線、ラジオ及びマイクロ波）は媒体の定義に含まれる。しかしながら、理解すべきなのは、コンピュータ可読記憶媒体及びデータ記憶媒体は接続、キャリアー、信号又はその他の一時的な媒体を含まなく、非一時的有形記憶媒体に関する。本文で使用されたように、磁気ディスク及び光ディスクはコンパクトディスク（ＣＤ）、レーザーディスク、光ディスク、デジタルオーディオ/ビデオディス（ＤＶＤ）、フレキシブル磁気ディスク及びブルーレイ光ディスクを含み、磁気ディスクは一般的にデータを磁気的にコピーし、光ディスクはレーザーで光学的にデータをコピーする。以上の様々なもの組み合わせは更にコンピュータ可読媒体の範囲に含まれるべきである。
【００９８】
例えば１つ又は複数のデジタル信号プロセッサー（ＤＳＰ）、汎用マイクロプロセッサ、特定集積回路（ＡＳＩＣ）、フィールドプログラマブルロジックアレイ（ＦＰＧＡ）又はその他の等価集積又は離散論理回路等の１つ又は複数のプロセッサーにより命令を実行することができる。このため、本文で使用されたような用語「プロセッサー」は前述の構造又は本文に説明された技術を実施するのに適した任意のその他の構造の中のいずれかの一方を指すことができる。また、いくつかの態様において、本文で説明された機能性を設定によってコーディングとデコーディングのための専用ハードウェア及び／又はソフトウェアモジュール内に提供するか、或いは組み合わせたコーデックに組み込むことができる。且つ、前記技術は１つ又は複数の回路または論理素子に完全に実施されることができる。
【００９９】
本発明の技術は幅広く複数の装置又は機器により実施されることができ、前記装置又は機器はワイヤレスハンドセット、集積回路（ＩＣ）又はＩＣコレクション（例えば、チップセット）を含む。本発明において設定によって開示された技術の装置の機能面を実行するのを強調するように、様々なコンポーネント、モジュール又はユニットを説明するが、必ずしも異なるハードウェアユニットによって実現する必要がない。具体的に、以上で説明したように、様々なユニットはコーデックハードウェアユニットに組み合わせられ、或いは相互運用可能なハードウェアユニット（以上で説明したような１つ又は複数のプロセッサーを含む）のコレクションによって適切なソフトウェア及び／又はファームウェアを組み合わせることによって提供されることができる。
【０１００】
理解すべきなのは、明細書全体に言及した「１つの実施例」又は「一実施例」は実施例に関連する特定の機能、構造、または特性が本発明の少なくとも１つの実施例に含まれるのを意味する。おのため、明細書全体の様々な場所に現れた「１つの実施例において」または「一実施例において」は必ずしも同様な実施例を指さない。なお、これらの特定の機能、構造、または特性は任意の適切な方式で１つ又は複数の実施例に組み合わせられることができる。
【０１０１】
本発明の様々な実施例において、上記各プロセスの番号の大きさは実行順序の前後を意味せず、各プロセスの実行順序はその機能及び組み込み論理により確定されるべきであり、本発明の実施例の実施プロセスを制限しない。
【０１０２】
また、本文における用語「システム」及び「ネットワーク」は本文で交換可能に使用される場合が多い。本文における用語「及び／又は」、は、単に関連オブジェクトを説明するための関連関係であり、三種の関係が存在してよいことを示し、例えば、Ａ及び／又はＢは、単独にＡが存在し、同時にＡとＢが存在し、単独にＢが存在するという三種の場合を示すことができるのを理解すべきである。また、本文におけるキャラクター「／」は、一般的に前後関連オブジェクトが「又は」の関係であることを示す。
【０１０３】
本願が提供する実施例において、理解すべきなのは、「Ａに対応するＢ」とはＢがＡに関連すると示され、ＡによってＢを確定することができる。しかし、理解すべきなのは、ＡによってＢを確定することは単にＡのみによってＢを確定することを意味せず、更にＡ及び／又はその他の情報によってＢを確定することができる。
【０１０４】
当業者は、本文に開示された実施例に記載の各例示のユニット及びアルゴリズムステップを組み合わせて、電子ハードウェア、又はコンピュータソフトウェア又はそれらの組み合わせで実現することができ、ハードウェアとソフトウェアの互換可能性を明らかに説明するために、上記の説明では機能に応じて一般的に各例の組成及びステップを述べたことを認識することができる。これらの機能はハードウェアで実行するかソフトウェアで実行するかは、技術案の特定の応用および設計制約条件によって決められる。当業者は各特定の応用に対して異なる方法で説明した機能を実現することができるが、このような実現は本発明の範囲を超えると考えられない。
【０１０５】
当業者は、便利且つ簡単に説明するために、上記に記載のシステム、装置及びユニットの具体的な動作過程は、上記方法の実施例における対応過程を参照することができ、ここで繰り返して説明しないことを明らかに認識できる。
【０１０６】
本願が提供するいくつかの実施例において、開示したシステム、装置及び方法は、その他の方式によって実現されることができることを理解すべきである。例えば以上のような装置実施例は単に例示的なものに過ぎず、例えば、前記ユニットの分割は、ロジック機能分割に過ぎず、実際の実現時に別の分割方式であってもよく、例えば、複数のユニット又はアセンブリを結合してもよく、又は別のシステムに集積してもよく、又はいくつかの特徴を無視することができ、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１０７】
上記の分離部材として説明したユニットは物理的に分離されるか又は物理的に分離されていないものであってもよく、ユニットとして表示する部材は物理ユニットであってもよく、又は物理ユニットではなくてもよく、即ち１つの場所に位置してもよく、複数のネットワークユニットに分布してもよい。実際の需要に応じてその中の一部又は全部のユニットを選択して本実施例手段の目的を実現することができる。
【０１０８】
また、本発明の各実施例における各機能ユニットは１つの処理ユニットに集積されてもよく、各ユニットが単独に物理的に存在してもよく、２つ又は２つ以上のユニットが１つのユニットに集積されてもよい。
【０１０９】
以上のように、本発明の具体的な実施形態に過ぎず、本発明の保護範囲はこれに制限されず、当業者の誰でも、本発明が開示した技術範囲に、容易に考えた変化又は取り替えはいずれも、本発明の保護範囲に含まれるべきである。従って、本発明の保護範囲は請求項の保護範囲を基準とすべきである。
【手続補正２】
【補正対象書類名】特許請求の範囲
【補正対象項目名】全文
【補正方法】変更
【補正の内容】
【特許請求の範囲】
【請求項１】
システム情報を伝送する方法であって、
端末がアクセス目的に基づき前記アクセス目的と予め設定されたマッピング関係がある物理ランダムアクセスチャネルリソースを選択し、前記アクセス目的はシステム情報を要求すること、初期アクセスを要求すること、或いはシステム情報及び初期アクセスを同時に要求することを含むステップと、
選択された物理ランダムアクセスチャネルリソースを使用して基地局にＭＳＧ１を送信するステップと、
前記端末のアクセス目的がシステム情報を要求すること、或いはシステム情報及び初期アクセスを同時に要求することであると、前記基地局が送信したＭＳＧ２を受信し、前記ＭＳＧ２にシステム情報或いは前記システム情報に対応するスケジューリング情報が含まれるステップとを含むことを特徴とするシステム情報を伝送する方法。
【請求項２】
前記端末のアクセス目的がシステム情報を要求することであると、前記方法は更に、
前記基地局がブロードキャストしたシステム情報を受信するステップを含むことを特徴とする請求項１に記載の方法。
【請求項３】
前記端末のアクセス目的がシステム情報及び初期アクセスを同時に要求することであると、前記ＭＳＧ２にＭＳＧ３に対応するアップリンクスケジューリング情報が更に含まれることを特徴とする請求項１に記載の方法。
【請求項４】
前記端末のアクセス目的が初期アクセスを要求することであると、前記基地局が送信したＭＳＧ２を受信し、前記ＭＳＧ２にＭＳＧ３に対応ｓるアップリンクスケジューリング情報が含まれることを特徴とする請求項１に記載の方法。
【請求項５】
前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つ前記端末により前記基地局のブロードキャストメッセージを受信することによって取得されるか、或いは前記予め設定されたマッピング関係はシステムにより事前設定されて且つ前記基地局と前記端末に記憶されることを特徴とする請求項１〜４のいずれかに記載の方法。
【請求項６】
基地局であって、
端末が送信したＭＳＧ１を受信することに用いられる受信ユニット、
前記端末がＭＳＧ１を送信する際に使用された物理ランダムアクセスチャネルリソースと前記端末アクセス目的との予め設定されたマッピング関係に基づき前記端末のアクセス目的を確定することに用いられ、前記アクセス目的はシステム情報を要求すること、初期アクセスを要求すること、或いはシステム情報及び初期アクセスを同時に要求することを含む処理ユニットと、
前記端末のアクセス目的がシステム情報を要求すること、或いはシステム情報及び初期アクセスを同時に要求することであると、前記端末にＭＳＧ２を送信することに用いられ、前記ＭＳＧ２にシステム情報或いは前記システム情報に対応するスケジューリング情報が含まれる送信ユニットと、を備えることを特徴とする基地局。
【請求項７】
前記端末のアクセス目的がシステム情報を要求することであると、送信ユニットは更に、
前記端末が要求するシステム情報をブロードキャストすることに用いられることを特徴とする請求項６に記載の基地局。
【請求項８】
前記端末のアクセス目的がシステム情報及び初期アクセスを同時に要求することであると、前記ＭＳＧ２にＭＳＧ３に対応するアップリンクスケジューリング情報が更に含まれることを特徴とする請求項６に記載の基地局。
【請求項９】
前記端末のアクセス目的が初期アクセスを要求することであると、前記送信ユニットは更に前記端末にＭＳＧ２を送信することに用いられ、前記ＭＳＧ２にＭＳＧ３に対応するアップリンクスケジューリング情報が含まれることを特徴とする請求項６に記載の基地局。
【請求項１０】
前記物理ランダムアクセスチャネルリソースと前記端末アクセス目的との予め設定されたマッピング関係は多対１マッピングまたは１対１マッピングであり、且つ前記予め設定されたマッピング関係は前記処理ユニットにより設定されてブロードキャストメッセージによって前記端末に通知されるか、或いは前記予め設定されたマッピング関係はシステムにより事前設定されて且つ前記基地局と前記端末に記憶されることを特徴とする請求項６〜９のいずれかに記載の基地局。
【請求項１１】
端末であって、
アクセス目的に基づき前記アクセス目的と予め設定されたマッピング関係がある物理ランダムアクセスチャネルリソースを選択することに用いられ、前記アクセス目的はシステム情報を要求すること、初期アクセスを要求すること、或いはシステム情報及び初期アクセスを同時に要求することを含む処理ユニットと、
選択された物理ランダムアクセスチャネルリソースを使用して基地局にＭＳＧ１を送信することに用いられる送信ユニットと、
前記端末のアクセス目的がシステム情報を要求すること、或いはシステム情報及び初期アクセスを同時に要求することであると、前記基地局が送信したＭＳＧ２を受信することに用いられ、前記ＭＳＧ２にシステム情報或いは前記システム情報に対応するスケジューリング情報が含まれる受信ユニットと、を備えることを特徴とする端末。
【請求項１２】
前記端末のアクセス目的はシステム情報を要求することであると、前記受信ユニットは更に、
前記基地局がブロードキャストしたシステム情報を受信することに用いられることを特徴とする請求項１１に記載の端末。
【請求項１３】
前記端末のアクセス目的がシステム情報及び初期アクセスを同時に要求することであると、前記ＭＳＧ２にＭＳＧ３に対応するアップリンクスケジューリング情報が更に含まれることを特徴とする請求項１１に記載の端末。
【請求項１４】
前記端末のアクセス目的が初期アクセスを要求することであると、受信ユニットは更に前記基地局が送信したＭＳＧ２を受信することに用いられ、前記ＭＳＧ２にＭＳＧ３に対応するアップリンクスケジューリング情報が含まれることを特徴とする請求項１１に記載の端末。
【請求項１５】
前記物理ランダムアクセスチャネルリソースと前記端末アクセス目的との予め設定されたマッピング関係は多対１マッピングまたは１対１マッピングであり、且つ前記予め設定されたマッピング関係は前記基地局により設定されて且つ前記受信ユニットにより前記基地局のブロードキャストメッセージを受信することによって取得されるか、或いは前記予め設定されたマッピング関係はシステムにより事前設定されて且つ前記基地局と前記端末に記憶されることを特徴とする請求項１１〜１４のいずれかに記載の端末。